【手続補正書】
【提出日】平成28年1月22日(2016.1.22)
【手続補正１】
【補正対象書類名】特許請求の範囲
【補正対象項目名】全文
【補正方法】変更
【補正の内容】
【特許請求の範囲】
【請求項１】
ビデオデータを符号化するための方法であって、前記方法は、
Ｂスライス中の予測ユニット、すなわちＰＵ、が単方向インター予測に制限されるかどうかを判断することと、
前記ＰＵのためのマージ候補リストを生成することであって、マージ候補の各々は、別のＰＵに関する動き情報のセットを指定する、生成することと、
前記ＰＵが単方向インター予測に制限されるとき、前記マージ候補リストを生成した後に前記マージ候補リスト中の双方向マージ候補を単方向マージ候補に変換することと、
前記マージ候補リスト中の選択された候補を判断することと、
前記マージ候補リスト中の前記選択された候補によって指定された動き情報を前記ＰＵの動き情報に採用するために、前記選択された候補の前記マージ候補リスト中の位置を示す符号化シンタックス要素を含むビットストリームを生成することとを備える、方法。
【請求項２】
ビデオデータを復号するための方法であって、前記方法は、
Ｂスライス中の予測ユニット、すなわちＰＵ、が単方向インター予測に制限されるかどうかを判断することと、
前記ＰＵのためのマージ候補リストを生成することであって、マージ候補の各々は、別のＰＵに関する動き情報のセットを指定する、生成することと、
前記マージ候補リスト中の選択された候補を、
前記選択された候補の前記マージ候補リスト中の位置を示すシンタックス要素を、ビットストリームからパースすることと、
前記選択された候補の前記マージ候補リスト中の前記位置にある前記選択された候補を判断することであって、前記ＰＵが単方向インター予測に制限され、前記選択された候補が双方向マージ候補であるとき、前記マージ候補リストを生成した後に前記マージ候補リスト中の前記双方向マージ候補を単方向マージ候補に変換する、判断することと、
によって判断することと、
前記マージ候補リスト中の前記選択された候補によって指定された動き情報を前記ＰＵの動き情報に採用することとを備える、方法。
【請求項３】
前記ＰＵが単方向予測に制限されるかどうかを判断することは、
前記ＰＵを特徴づけるサイズがしきい値を下回る場合、前記ＰＵが単方向インター予測に制限されると判断することと、
前記ＰＵを特徴づける前記サイズが前記しきい値を下回らない場合、前記ＰＵが単方向インター予測に制限されないと判断することとを備える、請求項１または２に記載の方法。
【請求項４】
前記ＰＵを特徴づける前記サイズが前記しきい値を下回る場合、前記ＰＵが単方向インター予測に制限されると判断することは、前記ＰＵに関連付けられたビデオブロックの高さまたは幅が前記しきい値を下回る場合、前記ＰＵが単方向インター予測に制限されると判断することを備える、請求項３に記載の方法。
【請求項５】
前記ＰＵを特徴づける前記サイズが前記しきい値を下回る場合、前記ＰＵが単方向インター予測に制限されると判断することは、前記ＰＵに関連付けられたビデオブロックの第１の寸法が前記しきい値よりも小さく、前記ＰＵに関連付けられた前記ビデオブロックの第２の寸法が前記しきい値以下である場合、前記ＰＵが単方向インター予測に制限されると判断することを備える、請求項３に記載の方法。
【請求項６】
前記ＰＵを特徴づける前記サイズが前記しきい値を下回る場合、前記ＰＵが単方向インター予測に制限されると判断することは、前記ＰＵに関連付けられたビデオブロックの第１の寸法が第１のしきい値よりも小さく、前記ＰＵに関連付けられた前記ビデオブロックの第２の寸法が第２のしきい値よりも小さい場合、前記ＰＵが単方向インター予測に制限されると判断することを備える、請求項３に記載の方法。
【請求項７】
前記第１のしきい値が前記第２のしきい値と同じである、請求項６に記載の方法。
【請求項８】
前記ＰＵが単方向予測に制限されるかどうかを判断することは、
前記ＰＵに関連付けられたコーディングユニット、すなわちＣＵ、を特徴づけるサイズが特定のサイズ以下であり、前記ＰＵを特徴づける前記サイズが前記しきい値を下回る場合、前記ＰＵが単方向インター予測に制限されると判断することであって、前記ＣＵを特徴づける前記サイズが、前記ＣＵに関連付けられたビデオブロックの高さまたは幅である、判断することと、
前記ＣＵを特徴づける前記サイズが前記特定のサイズに等しくなく、前記ＰＵを特徴づける前記サイズが前記しきい値を下回らない場合、前記ＰＵが単方向インター予測に制限されないと判断することとを備える、請求項３に記載の方法。
【請求項９】
前記特定のサイズが８に等しく、前記しきい値が８に等しい、請求項８に記載の方法。
【請求項１０】
前記双方向マージ候補を前記単方向マージ候補に変換することは、前記単方向マージ候補が特定の参照ピクチャリスト中の参照ピクチャに関連付けられるように、前記双方向マージ候補を前記単方向マージ候補に変換することを備え、双方向マージ候補が単方向マージ候補に変換されるときはいつでも、前記単方向マージ候補が、前記特定の参照ピクチャリスト中の参照ピクチャに関連付けられる、請求項１または２に記載の方法。
【請求項１１】
前記方法がモバイルコンピューティングデバイス上で実行される、請求項１または２に記載の方法。
【請求項１２】
前記双方向マージ候補を変換することは、前記双方向マージ候補を、リスト０中の参照ピクチャに関連付けられた単一の単方向マージ候補に変換することを備える、請求項１または２に記載の方法。
【請求項１３】
実行されると、請求項１乃至１２のいずれか１項に記載の方法を実行するように１つまたは複数のプロセッサを構成する命令を記憶する１つまたは複数のコンピュータ可読記憶媒体を備えるコンピュータプログラム製品。
【請求項１４】
Ｂスライス中の予測ユニット、すなわちＰＵ、が単方向インター予測に制限されるかどうかを判断するための手段と、
前記ＰＵのためのマージ候補リストを生成するための手段であって、マージ候補の各々は、別のＰＵに関する動き情報のセットを指定する、生成するための手段と、
前記マージ候補リスト中の選択された候補を判断するための手段と、
前記ＰＵが単方向インター予測に制限され、前記マージ候補リスト中の前記選択された候補が双方向マージ候補であるとき、前記マージ候補リストを生成した後に前記マージ候補リスト中の双方向マージ候補を単方向マージ候補に変換するための手段と、
前記マージ候補リスト中の前記選択された候補によって指定された動き情報を前記ＰＵの動き情報に採用するために、前記選択された候補の前記マージ候補リスト中の位置を示す符号化されたシンタックス要素を含むビットストリームを生成するための手段とを備える、ビデオ符号化デバイス。
【請求項１５】
Ｂスライス中の予測ユニット、すなわちＰＵ、が単方向インター予測に制限されるかどうかを判断するための手段と、
前記ＰＵのためのマージ候補リストを生成するための手段であって、マージ候補の各々は、別のＰＵに関する動き情報のセットを指定する、生成するための手段と、
選択された候補の前記マージ候補リスト中の位置を示すシンタックス要素を、ビットストリームからパースするための手段と、
前記選択された候補の前記マージ候補リスト中の前記位置にある前記選択された候補を判断するための手段であって、前記手段は、前記ＰＵが単方向インター予測に制限され、前記選択された候補が双方向マージ候補であるとき、前記マージ候補リストを生成した後に前記マージ候補リスト中の前記双方向マージ候補を単方向マージ候補に変換するようにさらに構成される、判断するための手段と、
前記マージ候補リスト中の前記選択された候補によって指定された動き情報を前記ＰＵの動き情報に採用するための手段とを備える、ビデオ復号デバイス。